(57)【特許請求の範囲】
【請求項１】
家具類の筐体に固定される筐体側蝶番と、一端部が第１枢軸を介して筐体側蝶番に枢支された中間蝶番と、中間蝶番の他端側に閉鎖方向に回動付勢するばね部材を併設した第２枢軸を介して枢支した扉側蝶番とを備えた扉の蝶番装置において、
扉側蝶番は合成樹脂により構成され、その一端には扉裏面側の垂直縁部側に嵌着される第１嵌着部を備え、他端には上方に向けて折曲延長され該扉の裏面側に形成された水平縁部側に嵌着される第２嵌着部を備え、
扉の水平縁部に第２嵌着部を嵌着すると共に、第１嵌着部を垂直縁部に嵌着することで該扉側蝶番の扉への取着を完了可能に構成したことを特徴とする家具類における扉の蝶番装置。
【請求項２】
家具類の筐体に固定される筐体側蝶番と、一端部が第１枢軸を介して筐体側蝶番に枢支された中間蝶番と、中間蝶番の他端側に閉鎖方向に回動付勢するばね部材を併設した第２枢軸を介して枢支した扉側蝶番とを備えた扉の蝶番装置において、
上記扉の枢支角部に形成された切欠部に対応して配置され、一端には該扉の垂直縁部側に嵌着される第１嵌着部を備え、他端には上方に向けて折曲延長され該扉の水平縁部側に嵌着される第２嵌着部を備えた扉側蝶番を設け、
第１嵌着部は、扉の垂直縁部から扉表壁裏面に平行に延長された補強リブから、略Ｌ字状平断面を成して該扉表壁裏面に垂直に向かう如く折曲延長された係合舌片に、弾性的に突没して乗り越えることで嵌着する係合爪と、該係合爪の上下に有って係合舌片を挟持する上下の保持壁を備え、
第２嵌着部は、扉の水平縁部の縁部から扉表壁裏面に平行に延長された補強リブから、略Ｌ字状の側断面を成して該表壁裏面に垂直に向かう如く折曲延長された折返しリブの挿入用切欠に挿入され、該挿入用切欠の上記切欠部側に近接して配置され、上記折返しリブと同様の側断面に形成された係合舌片にスライド移動して噛合する噛合溝が刻設され、該噛合溝の切欠部側の一部が上下に拡開され、また、第２嵌着部の補強リブに対峙する側壁の切欠部側の一部が斜めに切除されて成ることを特徴とする家具類における扉の蝶番装置。
【請求項３】
中間蝶番を扉側蝶番に取着して成る扉側ユニットを構成し、該扉側ユニットの一部を構成する扉側蝶番の第２嵌着部を挿入用切欠に挿入し、噛合溝を拡開部から水平縁部側の係合舌片に係合する如くスライド移動させると共に、第１嵌着部を垂直縁部側の係合舌片に嵌着することで、扉への取着を完了できる如く構成されたことを特徴とする請求項２に記載の家具類における扉の蝶番装置。
【請求項４】
扉の枢支角部に形成された切欠部に対応する水平縁部には、係合舌片に近接する側が拡開される如く傾斜縁が形成され、取着途中の扉側ユニットの中間蝶番を該傾斜縁に沿う如く回動することで、扉への取着を容易にすることを特徴とする請求項３に記載の家具類における扉の蝶番装置。
【請求項５】
扉側蝶番に設けられ、中間蝶番の第２枢軸を枢支する軸受け部には、該第２枢軸の中途部または先端側を、回転自在、且つ、弾性的に挟持する対峙爪を備えたことを特徴とする請求項１から４の何れかに記載の家具類における扉の蝶番装置。
【請求項６】
中間蝶番に設けられた第２枢軸の中途部に先端側が縮径される段差部を形成し、且つ、扉側蝶番の軸受け部の内壁には、該第２枢軸の段差部を受ける、軸受け段差部を形成し、第２枢軸を所定の突出状態に保持することを特徴とする請求項１から５の何れかに記載の家具類における扉の蝶番装置。
【発明の詳細な説明】
【０００１】
【発明の属する技術分野】
本発明は、ロッカー、書庫、キャビネット等の家具類に好適に用いることのできる扉の蝶番装置に関し、更に詳しくは、扉をニ段階に開閉させて大きな開度を確保することのできる家具類における扉の蝶番装置の改良に関する。
【０００２】
【従来の技術】
事務用のロッカーや保管庫等に設けられた扉の蝶番装置には、特開平６−２４０９４３号公報および実公平５−３６９３９号公報等に示される如く、中間に連結板を介在して、扉を本体戸口に連結し、該扉をニ段階に開閉させる間接状部分を設けることにより、閉鎖した扉の外表面が面一と成る如く構成され、さらに、扉開放時には隣接された他のロッカー前面や他の家具の前面等に、干渉することなく、且つ、隣接する他のロッカー前面等に平行な状態にまで開放することができるように構成されたものが有る。
【０００３】
上記家具は、特に本体や扉等の外表面部分に耐久性に優れた金属素材を使用するものが主流となっており、製造時に蝶番装置や把手部品等を組み込む場合には、溶接や、ねじによる結合が行われるものである。金属製の部品は価格を低減することが困難であると共に、溶接やねじ締め等製造に要する作業工数が多く、完成された家具類も比較的高価な製品となることが避けられないものであった。
【０００４】
このような事務用の家具類では、蝶番装置の騒音を発する部分等の極限られた部分に、合成樹脂製の緩衝用部品を介在させること等が行われ、開閉時の静粛性や開閉操作の円滑化に配慮が成されるものであった。
【０００５】
近年、事務用家具に対しても、価格の低減を要求する声が高まり、ロッカーや保管庫等においても、扉の把手や解錠レバー等、必ずしも金属製である必要のない部分に関しては、合成樹脂化され、軽量化や、低コスト化が行われるようになりつつある。
【０００６】
【発明が解決しようとする課題】
ロッカーや保管庫等の家具類の扉における蝶番装置は、要求される耐久性と、作動性能を満足するために、従前より殆どの部品が金属により構成され、且つ、本体と扉への連結構造もまた、溶接やねじによる結合構造等を利用するものであり、本体重量を増大し、また、溶接部分の塗装仕上げ工程を増加し、長期に渡る使用により、溶接部やねじによる結合部分には錆びが発生したり、きしみによる騒音を発する等の欠点があり、また、高価な金属部品の多用は低価格化を妨げる要因の一つとなるものであった。
【０００７】
したがって、本発明の目的は、従前の家具類においては殆どの部品が金属製であった蝶番装置を、可能な限り合成樹脂化することにより、部品点数を減少し、組立て工数を削減すると共に、製品の軽量化を計り、錆び等の発生を防止し、且つ、きしみによる騒音の発生を抑え、より低価格化が可能な家具類における扉の蝶番装置を提供することにある。
【０００８】
【課題を解決するための手段】
上記課題を解決するために、請求項１の発明は、家具類の筐体開口縁の角部近傍に固着された筐体側蝶番を備え、該筐体側蝶番に対して一端側が垂直な第１枢軸を介して枢支される中間蝶番を有し、該中間蝶番の他端側に配された第２枢軸を介して扉側蝶番を備え、且つ、扉側蝶番は中間蝶番に対して第２枢軸に併設されたばね部材により閉鎖方向に回動付勢されており、扉側蝶番は合成樹脂から構成され、扉の枢支側角部に形成された切欠部の枢支端側に位置する一端には、扉裏面側に延長された垂直縁部側に嵌着する第１嵌着部が形成され、また、上記切欠部を越えて扉の中央側に延長された他端には、上方に向けて折曲し延長され、該扉の裏面側に形成された水平縁部側に嵌着する第２嵌着部が形成されたことを特徴とする家具類における扉の蝶番装置である。
【０００９】
上記発明によれば、扉側蝶番は、第１嵌着部を扉の枢支側の垂直縁部に嵌着すると同時に、第２嵌着部を扉の水平縁部に嵌着することができるので、従前に必要とされていた溶接やねじ等による特別な結合構造が不要となり、さらに、工具等を必要とせずに組立てを完了できるので、極めて簡単な取付作業により迅速に取付作業を完了することができる。また、扉側蝶番を合成樹脂化することにより、複雑な形状の部品同士を一体成形することが可能となり、部品点数を減少し、組立て工数を削減することができる。さらに、部品の軽量化を計り、錆びの発生や開閉時のきしみによる騒音を抑え、低価格化を実現することも可能となる。
【００１０】
請求項２の発明は、家具類の筐体開口縁の角部近傍に固着された筐体側蝶番を備え、該筐体側蝶番に対して一端側が垂直な第１枢軸を介して枢支される中間蝶番を有し、該中間蝶番の他端側に配された第２枢軸を介して扉側蝶番を備え、且つ、扉側蝶番は中間蝶番に対して第２枢軸に併設されたばね部材により閉鎖方向に回動付勢されており、合成樹脂から構成された上記扉側蝶番は、扉の枢支角部に形成された切欠部に配置され、その一端には扉の垂直縁部側に嵌着される第１嵌着部が設けられ、他端には、上方に向けて折曲され延長され扉の水平縁部側に嵌着される第２嵌着部が設けられており、該第１嵌着部は、垂直縁部から延長された補強リブに形成され、該垂直縁部に略平行且つ扉表壁裏面に略垂直に形成された係合舌片に、圧入されることで弾性的に突没して該係合舌片を乗り越え、抜出し不能に嵌着される係合爪を備え、該係合爪の上下には該係合舌片を上下で挟み込む保持壁を備えており、また、第２嵌着部は、水平縁部から延長された補強リブに形成され、該水平縁部に略平行且つ扉表壁裏面に略垂直に形成された折返しリブの挿入用切欠に挿入され、上記折返しリブと同様に形成され切欠部に近接して配置された係合舌片にスライド移動させることで噛合する噛合溝が形成され、該噛合溝の係合舌片に始めに噛合する部位は上下に拡開され、さらに、第２嵌着部の補強リブに対峙する側面は、上記切欠部側の一部が斜めに切除されてなることを特徴とする家具類における扉の蝶番装置である。
【００１１】
上記発明によれば、扉側蝶番は、第２嵌着部を、扉の折返しリブに形成された挿入用切欠に挿入し、水平縁部の下面に第２嵌着部を当接する状態から、扉の切欠部側にスライド移動させることで、第２嵌着部を水平縁部側の係合舌片に噛合嵌着できると共に、第１嵌着部の係合爪を扉の枢支角近傍の垂直縁部側に形成された係合舌片に嵌着し、且つ、同係合舌片を保持壁により上下から挟持することができ、極めて簡単な取付作業により迅速に取付を完了することができる。また、取付後は、第１嵌着部と第２嵌着部により扉側蝶番の両端部が扉に対して強固に固着される。
【００１２】
請求項３の発明は、中間蝶番を扉側蝶番に対して第２枢軸を介して枢着し、扉側ユニットを構成し、該扉側ユニットの一部を構成する扉側蝶番の第１嵌着部および第２嵌着部を介して扉に取着する請求項２に記載の家具類における扉の蝶番装置である。
【００１３】
上記発明によれば、蝶番装置の各部品を家具本体の筐体と扉とにそれぞれ挿着し、中間蝶番を組み込みながら組立てる従来構造に比較して、部品点数を減少し、極めて簡単な取付作業により蝶番装置を組み込むことを可能にできる。つまり、中間蝶番を予め組み込まれた扉側ユニットを扉に挿着できるように構成したことにより、従来構造では、ある程度の熟練が必要とされていた、蝶番部分の組立て作業を、極めて容易な作業に置き換えることができる。
【００１４】
請求項４の発明は、扉の枢支角部に開口された切欠部の縁部を形成する水平縁部は、隣接して設けられた係合舌片に近接する側ほど拡開される傾斜縁を形成した請求項３に記載の家具類における扉の蝶番装置である。
【００１５】
上記発明によれば、扉側ユニットの一部を構成する中間蝶番を上記傾斜縁に沿うように回動操作することにより、他への干渉を減少して扉側への挿着作業を、より円滑且つ簡単に行うことができる。
【００１６】
請求項５の発明は、扉側蝶番の第２枢軸を枢支する軸受け部には、該第２枢軸の中途部または先端側を挟持する対峙爪を一体に設けた請求項１から請求項４の何れかに記載の家具類における扉の蝶番装置である。
【００１７】
上記発明によれば、扉側蝶番に対する中間蝶番の取付作業が極めて容易なもとのとなり、特別の工具を一切必要とせずに、抜け出し防止の対策が講じられた、第２枢軸の取着を完了することができる。
【００１８】
請求項６の発明は、扉側蝶番の軸受け部の内壁に、先端側が縮径する段差部を形成し、また、該軸受け部に挿入される中間蝶番の第２枢軸の中途部または先端側にも先端側が縮径する段差部が形成され、所定の没入高さを保持して回転自在に支持する如く構成された請求項１から５の何れかに記載の家具類における扉の蝶番装置である。
【００１９】
上記発明によれば、第２枢軸の軸受け部への没入量が一定に確保され、ばね部材を不要に圧縮して、その復元動作を妨げることを防止して、正確な蝶番作動を確保することができるものである。
【００２０】
【発明の実施の形態】
以下、図面を参照して本発明の実施例につき説明する。
【００２１】
【実施例】
図１は、本発明に包含される蝶番装置の一実施例を示す分解斜視図であり、図２は、キャビネットの扉の枢支側の上下角部に取着される蝶番装置を示す分解斜視図、図３は、蝶番装置の挿着工程を示す平面図、図４は図３の正面図、図５は挿着を完了した蝶番装置の平面図、図６は図５の正面図である。
【００２２】
図中に示される蝶番装置１は、キャビネットの扉４の枢支側角部に取着される扉側ユニット１ａと、キャビネットの筐体開口縁部に取着される筐体側蝶番１ｂとを備えている。扉側ユニット１ａは、合成樹脂製の扉側蝶番２を備え、この扉側蝶番２に対して、合成樹脂製の中間蝶番３が回動自在に枢着されている。該扉側蝶番２は、横転されたＪ字状を成す如く形成された合成樹脂製のブロックからなり、一端部には、扉４の垂直縁部４ｂに嵌合される第１嵌着部５が形成され、さらに、他端部には、扉４の水平縁部４ｃに嵌合される第２嵌着部６が形成されている。
【００２３】
そして、中央部には上下方向に穿設された軸受け部７が設けられ、この軸受け部７に対して中間蝶番３の枢軸（第２枢軸）３ａが回転自在に挿入される。該中間蝶番３は全体が合成樹脂から構成され、枢軸３ａもまた合成樹脂により一体に形成されている。なお、中間蝶番３全体を金属から構成することや、枢軸３ａのみを金属製にしてインサート成形すること等により樹脂からなる中間蝶番３に金属製の枢軸３ａを結合した構成とすることも可能である。
【００２４】
中間蝶番３は、その枢軸３ａに対して、ばね部材８が環装され、ばね部材８の一端が、扉側蝶番２の上面に鉤状に突設された係合鉤２ａに係合され、また、他端が中間蝶番３の下面に係合されており、ばね部材８により、中間蝶番３に対して、該扉側蝶番２が枢軸３ａを中心に閉鎖方向に回動付勢されるように構成されている。
【００２５】
扉側蝶番２の一端側上部には、中間蝶番３の回動を規制する係合突片２ｂが突設されており、ばね部材８による弾性的押圧力により閉鎖方向に回動付勢される中間蝶番３の縁部に当接して回動を抑止するように構成されている。該係合突片２ｂは、また、中間蝶番３が扉側蝶番２に対して９０°回動された状態においても、中間蝶番３の他の縁部に当接して回動を規制する如く構成されている。従って、中間蝶番３は、扉側蝶番２に対して、閉鎖状態から開放状態にかけての約９０°の範囲でのみ回動可能に構成され、且つ、常にばね部材８により閉鎖方向に付勢されるように構成されている。
【００２６】
上記中間蝶番３の枢軸３ａは、回動支持の強度を確保するため、および、中間段差部３ｂを形成するために、その直径が比較的太く形成されており、金属にて製作した場合とほぼ同等の強度を確保すると共に、軸受け部７の内部に形成された図示しない段差部に係合して、所定の深さ以上に没入しないように構成されている。つまり、中間段差部３ｂを軸受け部７内の段差部に係合することにより、ばね部材８を圧縮して扉側蝶番２に没入することを阻止して、ばね部材８の付勢力を安定に確保することができるように構成されている。
【００２７】
また、軸受け部７の下端部には、該扉側蝶番２の側面に貫通状に開口された小窓内に成形された、一対の対峙爪９が設けられ、該対峙爪９が、中間蝶番３の枢軸３ａの先端に形成された、係合段部３ｃを挟み込み状に保持することにより、中間蝶番３が扉側蝶番２から不用意に抜け出さない状態に保持され、且つ、回転自在に枢支されている。なお、上記対峙爪９は、一対に限定されず、３つ以上が対峙する如く設けられるものや、扉側蝶番２とは別体に形成されて後付けにより取着されたもの等であってもよい。
【００２８】
扉側ユニット１ａは、図２中に示される如く、同一の扉４の上下の枢支側角部にそれぞれ挿着され、上下に挿着される蝶番装置１は、それぞれが上下対象的に設けられており、その基本的構成は、上下対象の構造の他は、上下ともに全く同一である。よって、本実施例では上部の蝶番装置１についてのみ説明する。
【００２９】
キャビネットの筐体開口縁部にねじ等により固着される金属製且つ板状の筐体側蝶番１ｂに設けられた垂直短軸状の第１枢軸１０は、扉側ユニット１ａの中間蝶番３の第２枢軸３ａから、所定寸法離れた位置に穿設された軸受け穴１１に回動自在に枢着されるようになっている。
【００３０】
キャビネットの扉４の枢支側角部には、扉側ユニット１ａを挿着するための切欠部４ａが形成され、さらに、扉４の縁部には垂直縁部４ｂおよび水平縁部４ｃが形成されている。垂直縁部４ｂは、扉４の表外面に略垂直に折曲され、扉４の厚みを形成している。その先端側が扉表壁裏面に略平行に折曲され補強リブ１２を形成し、さらに、先端部が扉表壁裏面に略垂直に内向きに折り込まれ折返しリブ１３が形成されている。
【００３１】
また、折返しリブ１３の上記切欠部４ａに近接する上端側には、上下に所定間隔をもって係合舌片１３ａが設けられている。該係合舌片１３ａは、扉側蝶番２の一端にブロック状を成して設けられた第１嵌着部５が嵌着するように構成されている。第１嵌着部５は、上記係合舌片１３ａに対応する部位に矩形状の凹欠部５ａが形成され、該係合舌片１３ａの先端に対応する部位には、合成樹脂素材であることを利用して基部以外の周囲が切離し状態に成形され弾性的に突没可能に形成された係合爪５ｂが設けられている。該係合舌片１３ａの上下縁部は凹欠部５ａの上下挟持壁に嵌合する。さらに、扉側蝶番２の背面２ｃは補強リブ１２に面一となるように形成されており、背面２ｃに対応する第１嵌着部５の背面部は、補強リブ１２の肉厚分の段差５ｃを形成している。
【００３２】
一方、水平縁部４ｃは、扉４の表外面に略垂直に折曲され、扉４の厚みを形成している。その先端側が扉表壁裏面に略平行に折曲され補強リブ１２を形成し、さらに、先端部が扉表壁裏面に略垂直に内向きに折り込まれ折返しリブ１３が形成されている。また、折返しリブ１３の上記切欠部４ａに近接する端側は、所定角度約４５°の角度をなして斜めに傾斜されている。該傾斜縁１４に近接する折返しリブ１３部分には、第２嵌着部６を挿入可能な挿入用切欠１５を形成して配置された係合舌片１３ｂが設けられている。第２嵌着部６は、上端面が水平縁部４ｃの下面に当接する如く挿入された状態にて、切欠部４ａ側にスライド移動することにより、該係合舌片１３ｂに噛合する噛合溝６ａが形成されている。さらに、噛合溝６ａの切欠部４ａ側は、上方に傾斜された拡開部６ｂが形成されており、扉側蝶番２な傾斜した状態であっても、噛合溝６ａを係合舌片１３ｂに係合させることができるように形成されている。また、第２嵌着部６の噛合溝６ａの上部に位置する側壁面は、切欠部４ａに近接する先端側が先細状に傾斜された、挿入縁部６ｃが形成されている。
【００３３】
上記扉側ユニット１ａを扉４に挿着する場合について図３および図４を参照して説明する。先ず、扉側ユニット１ａの第１嵌着部５側を下側に傾斜させ、且つ、第１嵌着部５が扉４から離れるように傾斜させた状態で、第２嵌着部６を挿入用切欠１５に挿入する。このとき、挿入縁部６ｃは補強リブ１２に略平行な状態である。噛合溝６ａの拡開部６ｂを係止舌片１３ｂに係合して、扉側ユニット１ａを僅かに切欠部４ａ側にスライドさせて、中間蝶番３を、上記傾斜縁部１４の傾斜角度に略平行になるように回動させ、中間蝶番３の一端側を切欠部４ａから外側に突出する状態として、第１嵌着部５側を上方に移動させ、扉側ユニット１ａを略水平な状態にする。
【００３４】
扉側ユニット１ａが水平な状態では、第１嵌着部５が垂直縁部４ｂの係合舌片１３ａに対応するので、扉側ユニット１ａをそのまま、スライド移動させ、係合爪５ｂを係合舌片１３ａに嵌着させる。
【００３５】
以上のような取着作業により、扉側ユニット１ａを図５および図６に示される状態に扉４に取着することができる。この取着完了状態において、扉ユニット１ａの第１嵌着部５の凹欠部５ａの上下挟持壁に係合舌片１３ａが係合して上下動を規制され、また、係合爪５ｂが突没して係合舌片１３ａを乗り越えて係合することにより、係合舌片１３ａに引き抜き不可能に係合される。一方、第２嵌着部６は、噛合溝６ａが係合舌片１３ｂにスライドして噛合され、上下同不可能に固定される。
【００３６】
以上の如くして完成された蝶番装置１は、扉４を開く際に、先ず始めに、第１枢軸１０を中心に開放（第１段階）され、キャビネットの筐体前面に対して、約９０°の角度に開放することができる。この状態から、さらに、扉４を開くことにより、第２枢軸３ａを中心に扉４が回動（第２段階）され、キャビネットの筐体前面に対して、約１８０°の角度にまで開放することができる。
【００３７】
なお、中間蝶番３は図５および図６に示される如く、閉位置および第１段階の開き状態においては、扉４の切欠部４ａに収容されキャビネットの前面に面一に取着され外側に突出しない構造となっている。
【００３８】
次に、図７および図８を参照して本発明の第２実施例につき説明する。
【００３９】
図７は、キャビネットの扉の上部に取り付けられた本発明に包含される蝶番装置の一実施例を示す分解斜視図であり、図８は、蝶番装置の組み立てを完了した状態を示す斜視図である。
【００４０】
図中に示される蝶番装置１は図示しないキャビネットの筐体にねじにより固定される金属製の筐体側蝶番１ｂを備え、この筐体側蝶番１ｂの扉の角側端に対応する部位には垂直下方に突出された第１枢軸１０を介して金属製の中間蝶番３が該第１枢軸１０の回りに回動自在に枢支されている。中間蝶番３の他端には該中間蝶番３に一体に形成され下方に延長された第２枢軸３ａが設けられている。
【００４１】
一方、扉４の枢着側の上角部には切欠部４ａが形成され、該切欠部４ａには、折り返された垂直および水平の縁部４ｂ，４ｃの内側壁に、両端部が接合する如く挿着された合成樹脂製の扉側蝶番２が設けられている。
【００４２】
垂直縁部４ｂは、さらに、扉４の表壁裏面に平行に折曲された補強リブ１２と、この補強リブ１２から、さらに折曲延長されて、該表壁裏面に略垂直状に形成された折返しリブ１３とを備えている。該折返しリブ１３は切欠部４ａに近接する部位が水平に切除され、且つ、扉４の表壁裏面と対峙する縁部は所定巾の隙間をもって形成され、上記扉側蝶番２の一端部には、該所定巾の隙間に嵌合状に挿入される挿着片部１６が設けられると共に、折返しリブ１３の上端部を乗り越えて、挿着され係合する楔状爪１７が一体に設けられている。
【００４３】
また、扉４の水平縁部４ｃの切欠部４ａに近接する部分には、舌片状に打ち抜かれ、一段没した状態で、先端部を該切欠部４ａとは反対側に延長され、且つ、水平縁部４ｃに略平行に形成された保持片１８が設けられている。また、水平縁部４ｃの縁部には、表壁裏面に平行に折曲された補強リブ１２が形成され、板厚方向に四角形状の係合小孔１９が穿設されている。そして、扉側蝶番２の他端側上面には、上記保持片１８が挿入可能な縦孔２０が穿設され、さらに、扉４の切欠部４ａが有る隅側にスライド移動されることで、保持片１８が係合する如く板状に形成された噛合部２０ａが形成されている。また、扉側蝶番２の他端側の上記係合小孔１９に対応する側面には、係合小孔１９に向けて突出された楔状爪２１が凸設されており、上記切欠部４ａが有る隅側にスライド移動された場合に、楔状爪２１が係合小孔１９に係合するように構成されている。
【００４４】
扉側蝶番２は、上記挿着片部１６、楔状爪１７，縦孔２０、噛合部２０ａおよびもう一つの楔状爪２１により、扉４の切欠部４ａに対応する如く固着されるように構成されており、その取着作業は、上記縦孔２０に保持片１８を挿入し、切欠部４ａ側にスライド移動させるという極めて簡単なものである。
【００４５】
扉側蝶番２の中途部は、上記切欠部４ａに対応する部分が扉４の上側の水平縁部４ｃよりも一段下位に位置される如く折曲され、該折曲部には、中間蝶番３の第２枢軸３ａが挿入される筒状の軸受け部７と、該軸受け部７上に一体に形成されて中間蝶番３を支持し、ばね部材８の上下方向の潰れを防止して、外周部に環装されたばね部材８の確実な作動を確保する台座部９は、全て扉側蝶番２に一体的に成形されてなるものである。
【００４６】
扉側蝶番２の上面の一側の折曲隅部に凹欠状に形成され、ばね部材８の一端が係合されるた凹部２ａが形成され、さらに、扉側蝶番２の上面の他側には上方に突出して中間蝶番３の回動範囲を約９０°の範囲に規制する如く干渉する係合突片２ｂが一体に形成されている。
【００４７】
そして、筐体側蝶番１ｂに枢着された中間蝶番３の第２枢軸３ａが、扉４に固着された扉側蝶番２の軸受け部７に枢着状態に挿入され、さらに、軸受け部７より露出された第２枢軸３ａの下端には、Ｅリング２２が取着され、抜け防止構造を成し、且つ、ばね部材８の他端が中間蝶番３の下面側に係合される。
【００４８】
以上の如くして完成された蝶番装置１は、扉４を開く際に、先ず始めに、第１枢軸１０を中心に開放（第１段階）され、キャビネットの筐体前面に対して、約９０°の角度に開放することができる。さらに、扉４を開くことにより、第２枢軸３ａを中心に扉４が回動（第２段階）され、キャビネットの筐体前面に対して、約１８０°の角度にまで開放することができる。
【００４９】
なお、中間蝶番３は閉位置および第１段階の開き状態においては、扉４の切欠部４ａに収容されキャビネットの前面に面一に取着され外側に突出しない構造となっている点については既に上記した第１実施例と同様である。
【００５０】
【発明の効果】
本発明によれば、蝶番装置を構成する部品を可能な限り合成樹脂化することにより、部品点数を減少し、組立て工数を削減すると共に、製品の軽量化を計り、錆び等の発生を防止し、且つ、きしみによる騒音の発生を抑え、より低価格化が可能な家具類における扉の蝶番装置を提供することができる。
【図面の簡単な説明】
【図１】本発明の第１実施例に係る蝶番装置の扉側ユニットの分解斜視図である。
【図２】扉の上下に設けられる蝶番装置の分解斜視図である。
【図３】扉側ユニットの扉への組み込み工程を示す平面図である。
【図４】図３の正面図である。
【図５】扉への組み込みを完了した扉側ユニットを示す平面図である。
【図６】図５の正面図である。
【図７】本発明の第２実施例に係る蝶番装置の分解斜視図である。
【図８】図７の蝶番装置の扉への組み込みが完了した状態を示す斜視図である。
【符号の説明】
１      蝶番装置
１ａ    扉側ユニット
１ｂ    筐体側蝶番
２      合成樹脂製の扉側蝶番
３      中間蝶番
３ａ    第２枢軸
３ｂ    中間段差部
３ｃ    係合段部
４      キャビネットの扉
４ａ    切欠部
４ｂ    垂直縁部
４ｃ    水平縁部
５      扉側蝶番の第１嵌着部５
５ａ    凹欠部
５ｂ    係合爪
６      扉側蝶番の第２嵌着部
６ａ    噛合溝
６ｂ    拡開部
６ｃ    挿入縁部
７      軸受け部
８      ばね部材
９      対峙爪
１０      第１枢軸
１２      補強リブ
１３      折返しリブ
１３ａ    係合舌片（垂直側）
１３ｂ    係合舌片（水平側）
１４      傾斜縁
【図１】
0003690700.tif 000002
【図２】
0003690700.tif 000003
【図３】
0003690700.tif 000004
【図４】
0003690700.tif 000005
【図５】
0003690700.tif 000006
【図６】
0003690700.tif 000007
【図７】
0003690700.tif 000008
【図８】
0003690700.tif 000009